(57)【要約】  光の利用効率を上昇させる導波路への導光技術を提案することを図る。上記目的を達成するために、アーム部と、グレーティングカプラが設けられている導波路を含むとともに上記アーム部の一端側に取り付けられているヘッド部と、上記グレーティングカプラに対して入射される光の光路上に配置されているとともに上記アーム部に取り付けられ且つ回折格子を有している光学素子と、を備えるアーム機構を採用する。
2009139258.tif 000002
【特許請求の範囲】
【請求項１】
アーム部と、
グレーティングカプラが設けられる導波路を含み且つ前記アーム部の一端側に取り付けられるヘッド部と、
前記グレーティングカプラに対して入射される光の光路上に配置されるとともに前記アーム部に取り付けられ且つ回折格子を有する光学素子と、
を備えることを特徴とするアーム機構。
【請求項２】
請求項１に記載のアーム機構であって、
前記光学素子が、
プリズムを含むことを特徴とするアーム機構。
【請求項３】
請求項１または請求項２に記載のアーム機構であって、
前記光学素子が、
少なくとも１つの反射面を有することを特徴とするアーム機構。
【請求項４】
請求項３に記載のアーム機構であって、
前記回折格子が、
複数の反射面によって形成され且つ該複数の反射面による光の反射によって光の回折現象を生じさせる回折格子を含むことを特徴とするアーム機構。
【請求項５】
請求項１から請求項４の何れかに記載のアーム機構と、
前記光学素子を介して前記ヘッド部に対して照射する光を発生させる光源部と、
前記ヘッド部に対して対向して配置される記録媒体と、
を備え、
前記ヘッド部が、
前記記録媒体に対して光を照射することで該記録媒体に対して情報の記録を行うことを特徴とする情報記録装置。
【請求項６】
導波路に設けられたグレーティングカプラに対して入射される光の光路上に配置される光学素子であって、
光の波長変動に応じて、前記グレーティングカプラの適正入射角度の変動に対応するように光を射出する方向を変化させる回折格子を有することを特徴とする光学素子。
【請求項７】
請求項６に記載の光学素子であって、
プリズムを含むことを特徴とする光学素子。
【請求項８】
請求項６または請求項７に記載の光学素子であって、
少なくとも１つの反射面を有することを特徴とする光学素子。
【発明の詳細な説明】
【技術分野】
【０００１】
本発明は、情報記録装置、ならびにそれに用いられるアーム機構および光学素子に関するものであり、例えば、情報記録に磁界と光とを利用する光アシスト式磁気記録装置、ならびにそれに用いられるアーム機構および光学素子に関するものである。
【背景技術】
【０００２】
磁気記録においては、記録密度が高くなると磁気ビットが外部温度などの影響を顕著に受けるようになる。このため高い保持力を有する記録媒体が必要になるが、そのような記録媒体を使用すると記録時に必要な磁界も大きくなる。しかし、記録ヘッドによって発生する磁界は飽和磁束密度によって上限が決まるが、この値は材料限界に近づいており飛躍的な増大は望めない。そこで、記録時に局所的に加熱して磁気軟化を生じせしめ、保持力が小さくなった状態で記録し、その後に加熱を止めて自然冷却することで記録した磁気ビットの安定性を保証する方式（熱アシスト磁気記録方式）が提案されている。【０００３】
熱アシスト磁気記録方式では、記録媒体の加熱を瞬間的に行うことが望ましく、加熱する機構と記録媒体とが接触することは許されない。このため、加熱は光の吸収を利用して行われるのが一般的であり、加熱に光を用いる方式は光アシスト式と呼ばれている。そして、光アシスト式の磁気記録ヘッドとして、集光機能付きプラナー導波路（ＰＳＩＭ）を有する光学ヘッド部分と、その光学ヘッド部分からの射出光で照射された部分に磁気記録を行う磁気ヘッド部分とを備えたものが提案されている（例えば、特許文献１など）。そして、特許文献１で提案されたＰＳＩＭには回折格子が設けられ、該回折格子に対して照射される光量に対してＰＳＩＭで集光される光量の割合（光の利用効率）を考慮すると、該回折格子への入射角度には入射光の波長に対して適正な角度範囲が存在する。
【先行技術文献】
【特許文献】
【０００４】
【特許文献１】米国特許第６，９４４，１１２号明細書
【発明の概要】
【発明が解決しようとする課題】
【０００５】
しかしながら、上記特許文献１では、光源からの光を回折格子に対して単に傾けて照射することは記載されているが、光源からの光を回折格子に導く手法について具体的には記載されていない。【０００６】
本発明は、上記課題に鑑みてなされたものであり、光の利用効率を上昇させる導波路への導光技術を提案することを目的とする。
【課題を解決するための手段】
【０００７】
上記課題を解決するために、第１の態様に係るアーム機構は、アーム部と、グレーティングカプラが設けられる導波路を含み且つ前記アーム部の一端側に取り付けられるヘッド部と、前記グレーティングカプラに対して入射される光の光路上に配置されるとともに前記アーム部に取り付けられ且つ回折格子を有する光学素子とを備える。【０００８】
第２の態様に係るアーム機構は、第１の態様に係るアーム機構であって、前記光学素子が、プリズムを含む。【０００９】
第３の態様に係るアーム機構は、第１または第２の態様に係るアーム機構であって、前記光学素子が、少なくとも１つの反射面を有する。【００１０】
第４の態様に係るアーム機構は、第３の態様に係るアーム機構であって、前記回折格子が、複数の反射面によって形成され且つ該複数の反射面による光の反射によって光の回折現象を生じさせる回折格子を含む。【００１１】
第５の態様に係る情報記録装置は、第１から第４の何れかの態様に係るアーム機構と、前記光学素子を介して前記ヘッド部に対して照射する光を発生させる光源部と、前記ヘッド部に対して対向して配置される記録媒体とを備え、前記ヘッド部が、前記記録媒体に対して光を照射することで該記録媒体に対して情報の記録を行う。【００１２】
第６の態様に係る光学素子は、導波路に設けられたグレーティングカプラに対して入射される光の光路上に配置される光学素子であって、光の波長変動に応じて、前記グレーティングカプラの適正入射角度の変動に対応するように光を射出する方向を変化させる回折格子を有する。【００１３】
第７の態様に係る光学素子は、第６の態様に係る光学素子であって、プリズムを含む。【００１４】
第８の態様に係る光学素子は、第６または第７の態様に係る光学素子であって、少なくとも１つの反射面を有する。
【発明の効果】
【００１５】
第１から第８の何れの態様に係るアーム機構、情報記録装置、および光学素子によっても、グレーティングカプラに対する適正な光の入射角度の範囲が光の波長の変化に伴って変化することに応じて、光路上に設けられた光学素子によってグレーティングカプラに対する入射角度が調整されるため、光の利用効率を上昇させることができる。【００１６】
第３の態様に係るアーム機構によれば、グレーティングカプラに対する適正な入射角度の範囲の変化に追従して、光学素子の回折格子によって光路を調整することが可能となる。【００１７】
第５の態様に係る情報記録装置によれば、情報の記録における電力消費の低減を図ることができる。
【図面の簡単な説明】
【００１８】
【図１】図１は、本発明の実施形態に係る情報記録装置の概略構成例を示す図である。
【図２】図２は、本発明の実施形態に係るスライダ部の構成例を示す図である。
【図３】図３は、導波路を有する光アシスト部の構成例を示す図である。
【図４】図４は、アーム機構の構成例を示す模式図である。
【図５】図５は、光学素子の配置を例示する図である。
【図６】図６は、第１〜５光源部の特性を例示する図である。
【図７】図７は、第１〜５光源部の特性を例示する図である。
【図８】図８は、導波路グレーティング素子の構成例を示す断面模式図である。
【図９】図９は、導波路に係る波長分散特性を説明するための図である。
【図１０】図１０は、導波路への適正入射角度の変動を例示する模式図である。
【図１１】図１１は、導波路への入射効率と導波路への入射角度との関係を例示する図である。
【図１２】図１２は、第１光学素子部の構成例を示す模式図である。
【図１３】図１３は、第１光学素子部による入射角度の調整について説明するための図である。
【図１４】図１４は、変形例に係る光学素子部の構成例を示す模式図である。
【発明を実施するための形態】
【００１９】
以下、本発明の実施形態を図面に基づいて説明する。
【００２０】
＜情報記録装置の概略構成＞
図１は、情報記録装置１００の概略構成例を示す図である。図１および図１以降の図には、方位関係を明確化するためにＸＹＺの直交する３軸が適宜付されている。
【００２１】
図１で示すように、情報記録装置１００は、光アシスト式の磁気記録用ヘッド、すなわち光ヘッドに相当する第１〜５スライダ部３１〜３５を搭載した磁気記録装置（光アシスト式磁気記録装置）として構成され、例えば、ハードディスク装置などに適用される。この情報記録装置１００は、略直方体状の筐体１と、該筐体１内に配置された第１〜３記録用ディスク（磁気記録媒体）２ａ，２ｂ，２ｃおよびアーム機構１０とを備えている。
【００２２】
第１〜３記録用ディスク２ａ，２ｂ，２ｃは、円盤状の記録媒体であり、相互に所定の微小距離（例えば、１ｍｍ以下）だけ離隔されて盤面が略平行となるように配置されている。具体的には、上方から（＋Ｚ側から−Ｚ側に向けて）第１記録用ディスク２ａ、第２記録用ディスク２ｂ、および第３記録用ディスク２ｃがこの順番で空間順次に配置され、筐体１に対して所定の回転軸およびモータによって回転可能に支持されている。
【００２３】
アーム機構１０は、主に第１〜５スライダ部３１〜３５、第１〜５光学素子部２１〜２５、第１〜３アーム部４１〜４３、および回転軸５を備えている。
【００２４】
第１〜３アーム部４１〜４３は、それぞれ同様な形状を有するとともに、それぞれ薄板状で且つ細長い形状を有し、相互に略平行に配置されている。具体的には、上方から（＋Ｚ側から−Ｚ側に向けて）第１アーム部４１、第２アーム部４２、および第３アーム部４３がこの順番で空間順次に配置されている。また、第１〜３アーム部４１〜４３は、一端側（ここでは、−Ｘ方向の端部）で回転軸５によって相互に連結されているとともに、該回転軸５を支点として、矢印ｍＡ方向（トラッキング方向）に筐体１に対して回転可能に支持されている。ここでは、アクチュエータ６による回転軸５の回転により、第１〜３アーム部４１〜４３が、回転軸５を支点として矢印ｍＡ方向に回転する。
【００２５】
そして、第１アーム部４１と第２アーム部４２とが、第１記録用ディスク２ａを挟むように配置され、第２アーム部４２と第３アーム部４３とが、第２記録用ディスク２ｂを挟むように配置されている。別の観点から言えば、第２アーム部４２が、第１記録用ディスク２ａと第２記録用ディスク２ｂとによって挟まれるように配置され、第３アーム部４３が、第２記録用ディスク２ｂと第３記録用ディスク２ｃとによって挟まれるように配置されている。
【００２６】
第１〜５スライダ部３１〜３５は、それぞれ同様な構成を有するとともに、記録用ディスク２ａ，２ｂ，２ｃに対して光を照射するための光ヘッド（本発明の「ヘッド部」に相当）である。
【００２７】
そして、第１スライダ部３１が、第１アーム部４１のうちの回転軸５が連結されている一端側とは異なる他端側の下面に対して、第１記録用ディスク２ａの一方主面（ここでは上面）に対向するように設けられ、第２スライダ部３２が、第２アーム部４２のうちの回転軸５が連結されている一端側とは異なる他端側の上面に対して、第１記録用ディスク２ａの他方主面（ここでは下面）に対向するように設けられている。また、第３スライダ部３３が、第２アーム部４２のうちの回転軸５が連結されている一端側とは異なる他端側の下面に対して、第２記録用ディスク２ｂの一方主面（ここでは上面）に対向するように設けられ、第４スライダ部３４が、第３アーム部４３のうちの回転軸５が連結されている一端側とは異なる他端側の上面に対して、第２記録用ディスク２ｂの他方主面（ここでは下面）に対向するように設けられている。更に、第５スライダ部３５が、第３アーム部４３のうちの回転軸５が連結されている一端側とは異なる他端側の下面に対して、第３記録用ディスク２ｃの一方主面（ここでは上面）に対向するように設けられている。このように、第１〜５スライダ部３１〜３５は、第１〜３アーム部４１〜４３によって保持されている。
【００２８】
また、各スライダ部３１〜３５のうち、各記録用ディスク２ａ〜２ｃに対向する面（スライダ下面）の形状は、いわゆる浮上面形状(ＡＢＳ:Air Bearing Surface)となっている。なお、ここでは、第１〜３記録用ディスク２ａ〜２ｃを矢印ｍＢ方向に回転させるモータ（不図示）が筐体１内に設けられている。そして、第１〜３記録用ディスク２ａ〜２ｃが回転する際に、第１〜５スライダ部３１〜３５が、第１〜３記録用ディスク２ａ，２ｂ，２ｃ上において該第１〜３記録用ディスク２ａ，２ｂ，２ｃから略一定距離だけ浮上しながら相対的に移動し得るように構成されている。
【００２９】
図２は、第１〜５スライダ部３１〜３５の構成例を示す断面模式図である。図２で示すように、第１〜５スライダ部３１〜３５は、第１〜３記録用ディスク２ａ〜２ｃに対する情報記録に光を利用する記録用ヘッドを有する。そして、第１〜５スライダ部３１〜３５は、例えば、セラミック製などの基板５０でそれぞれ構成されており、基板５０の内部には、第１〜３記録用ディスク２ａ〜２ｃの被記録部分の流入側から流出側にかけて順に（矢印ｍＣ）、光アシスト部５１、磁気記録部５２、および磁気再生部５３が形成されている。
【００３０】
光アシスト部５１は、主に、光導波路を有して構成され、該光導波路は、基板５０の側面から下面に掛けて設けられている。そして、光導波路のうちの光を出射するための端部（出射端）には、例えば、矩形状の微小な開口が形成された金属膜が配置されている。このため、光導波路のうちの出射端とは逆側の端部（入射端）から入射された光が、基板５０の側面側から下面側まで導かれる。なお、光導波路は、出射端に対して集光するためのテーパー部を有することが好ましい。そして、光導波路の出射端において近接場光が発生され、記録用ディスク２ａ〜２ｃに対して光スポットが形成されることで、第１〜３記録用ディスク２ａ〜２ｃの被記録部分が光スポットによって加熱される。光導波路の構造は、後述する導波路６０（図３参照）を有している。
【００３１】
図３は、導波路６０を有する光アシスト部５１の構成例を示す図である。導波路６０としては、例えば、上記特許文献１で提案された導波路型ソリッド・イマージョン・ミラー（ＰＳＩＭ：Planar Solid Immersion Mirror）を適用することができる。この導波路６０は、厚みが薄く、幅が上部から下部に向かって徐々に狭まるような放物線状の内面７０，７２を有する。また、導波路６０の上部の側面には、回折格子部６８を有する光結合器にあたるグレーティングカプラが設けられている。そして、回折格子部６８（具体的には、太破線部内のレーザー照射領域）にレーザー光が照射されて、導波路６０にレーザー光が導入されると、太矢印６４で示すようにレーザー光が内面７０，７２で反射して、導波路６０の最下部の焦点Ｆにレーザー光が集光し、第１〜３記録用ディスク２ａ〜２ｃに向けて電磁波が発生して、第１〜３記録用ディスク２ａ〜２ｃの微小領域が加熱される。図２では、光アシスト部５１に照射されるレーザー光の光路ＰＲの外縁が一点鎖線で例示されている。なお、導波路６０に対するレーザー光の入射効率を高めることを考慮すると、回折格子部６８に対するレーザー光の入射角度には適正な角度（適正入射角度）が存在している。この適正入射角度については後述する。
【００３２】
磁気記録部５２は、第１〜３記録用ディスク２ａ〜２ｃの被記録部分に対して磁気情報の書き込みを行う磁気記録素子によって形成されている。そして、各スライダ部３１〜３５が、各記録用ディスク２ａ〜２ｃに対して、光アシスト部５１によって光を照射しつつ、磁気記録部５２によって情報の記録を行う。なお、図１〜図３では図示を省略しているが、第１〜５スライダ部３１〜３５に対して、光線をそれぞれ供給する第１〜５光源部Ｐ１〜Ｐ５（図４参照）が配置されている。該第１〜５光源部Ｐ１〜Ｐ５は、例えば、半導体レーザーチップなどによって構成され、アーム部４１〜４３に対して適宜取り付けられている。
【００３３】
磁気再生部５３は、第１〜３記録用ディスク２ａ〜２ｃに記録されている磁気情報の読み取りを行う磁気再生素子によって形成されている。
【００３４】
図１に戻って、説明を続ける。
【００３５】
第１〜５光学素子部２１〜２５は、それぞれ同様な構成を有し且つ回折格子を有するとともに、第１〜３アーム部４１〜４３に対して取り付けられる。各光学素子部２１〜２５は、各スライダ部３１〜３５の近傍であって、各光源部Ｐ１〜Ｐ５（図４）から射出されて各回折格子部６８に対して入射する光の各光路上に配置される。
【００３６】
具体的には、第１光学素子部２１が、第１スライダ部３１の回転軸５側であって、第１アーム部４１のうちの回転軸５が連結されている一端側とは異なる他端側の下面に対して設けられ、第２光学素子部２２が、第２スライダ部３２の回転軸５側であって、第２アーム部４２のうちの回転軸５が連結されている一端側とは異なる他端側の上面に対して設けられている。また、第３光学素子部２３が、第３スライダ部３３の回転軸５側であって、第２アーム部４２のうちの回転軸５が連結されている一端側とは異なる他端側の下面に対して設けられ、第４光学素子部２４が、第４スライダ部３４の回転軸５側であって、第３アーム部４３のうちの回転軸５が連結されている一端側とは異なる他端側の上面に対して設けられている。更に、第５光学素子部２５が、第５スライダ部３５の回転軸５側であって、第３アーム部４３のうちの回転軸５が連結されている一端側とは異なる他端側の下面に対して設けられている。このように、第１〜５光学素子部２１〜２５は、第１〜３アーム部４１〜４３によって保持されている。
【００３７】
＜アーム機構の構成＞
図４は、アーム機構１０の構成例を示す模式図である。図４は、アーム機構１０およびその周辺の構成を上方（＋Ｚ方向）から見た模式図であり、図４では、第１〜５光源部Ｐ１〜Ｐ５、第１〜５光学素子部２１〜２５、および第１〜５スライダ部３１〜３５の第１アーム部４１に対する配置関係が破線で模式的に示されている。なお、図４では、各光源部Ｐ１〜Ｐ５から射出されて、各光学素子部２１〜２５を介して各スライダ部３１〜３５に導入される光の各光路Ｌ１〜Ｌ５が一点鎖線で示されている。また、図５は、光学素子部２１の配置を例示する模式図であり、図５では、第１光源部Ｐ１から第１スライダ部３１に至るレーザー光の光路Ｌ１が一点鎖線で示されている。
【００３８】
第１アーム部４１は、アーム本体部４１ａとサスペンション部４１ｂとを備えて構成されている。アーム本体部４１ａは、サスペンション部４１ｂと比較して、厚みが厚く且つ剛性が高い素材で構成され、サスペンション部４１ｂは、可撓性を有する材料で構成されており、アーム本体部４１ａとサスペンション部４１ｂの延設方向は略同一である。そして、アーム本体部４１ａの一端（−Ｘ側の端部）が回転軸５に固設され、アーム本体部４１ａの他端（＋Ｘ側の端部）の下面（−Ｚ側の面）にサスペンション部４１ｂの一端の上面（＋Ｚ側の面）が連結されている。
【００３９】
そして、第１スライダ部３１および第１光学素子部２１は、サスペンション部４１ｂのうちのアーム本体部４１ａに対して連結されている一端とは逆の他端近傍の下面に対して取り付けられている。詳細には、第１スライダ部３１は、所定のバネ部材を介してサスペンション部４１ｂに対して取り付けられ、第１光学素子部２１は、樹脂製の接着剤などによってサスペンション部４１ｂに対して取り付けられている。更に、アーム本体部４１ａの回転軸５に固設されている一端（−Ｘ側の端部）近傍の下面（−Ｚ側の面）に第１光源部Ｐ１が配置され、該第１光源部Ｐ１から射出される光が第１光学素子部２１を介して第１スライダ部３１に供給される。換言すれば、第１光源部Ｐ１と第１スライダ部３１との間に第１光学素子部２１が配置され、第１光源部Ｐ１から第１スライダ部３１に至るレーザー光の光路上に第１光学素子部２１が配置されている。
【００４０】
また、このように配置された第１光源部Ｐ１、第１光学素子部２１、および第１スライダ部３１と同様な構成が、他の第２アーム部４２および第３アーム部４３に対しても配置されている。
【００４１】
具体的には、第２アーム部４２は、延設方向は略同一である、アーム本体部４２ａ、上部サスペンション部４２ｂ、および下部サスペンション部４２ｃを備えている。そして、アーム本体部４２ａの一端（−Ｘ側の端部）が回転軸５に固設され、アーム本体部４２ａの他端（＋Ｘ側の端部）の上面（＋Ｚ側の面）に上部サスペンション部４２ｂの一端の下面（−Ｚ側の面）が連結され、アーム本体部４２ａの他端（＋Ｘ側の端部）の下面（−Ｚ側の面）に下部サスペンション部４２ｃの一端の上面（＋Ｚ側の面）が連結されている。
【００４２】
ここで、第２スライダ部３２および第２光学素子部２２は、上部サスペンション部４２ｂのうちのアーム本体部４２ａに対して連結されている一端とは逆の他端近傍の上面に対して取り付けられている。詳細には、第２スライダ部３２は、所定のバネ部材を介して上部サスペンション部４２ｂに対して取り付けられ、第２光学素子部２２は、樹脂製の接着剤などによって上部サスペンション部４２ｂに対して取り付けられている。そして、アーム本体部４２ａの回転軸５に固設されている一端（−Ｘ側の端部）近傍の上面（＋Ｚ側の面）に第２光源部Ｐ２が配置され、該第２光源部Ｐ２から射出される光が第２光学素子部２２を介して第２スライダ部３２に供給される。換言すれば、第２光源部Ｐ２と第２スライダ部３２との間に第２光学素子部２２が配置され、第２光源部Ｐ２から第２スライダ部３２に至るレーザー光の光路上に第２光学素子部２２が配置されている。
【００４３】
更に、第３スライダ部３３および第３光学素子部２３は、下部サスペンション部４２ｃのうちのアーム本体部４２ａに対して連結されている一端とは逆の他端近傍の下面に対して取り付けられている。詳細には、第３スライダ部３３は、所定のバネ部材を介して下部サスペンション部４２ｃに対して取り付けられ、第３光学素子部２３は、樹脂製の接着剤などによって下部サスペンション部４２ｃに対して取り付けられている。そして、アーム本体部４２ａの回転軸５に固設されている一端（−Ｘ側の端部）近傍の下面（−Ｚ側の面）に第３光源部Ｐ３が配置され、該第３光源部Ｐ３から射出される光が第３光学素子部２３を介して第３スライダ部３３に供給される。換言すれば、第３光源部Ｐ３と第３スライダ部３３との間に第３光学素子部２３が配置され、第３光源部Ｐ３から第３スライダ部３３に至るレーザー光の光路上に第３光学素子部２３が配置されている。
【００４４】
また、第３アーム部４３は、アーム本体部４３ａ、上部サスペンション部４３ｂ、および下部サスペンション部４３ｃを備え、アーム本体部４３ａ、上部サスペンション部４３ｂ、および下部サスペンション部４３ｃの延設方向は略同一である。そして、アーム本体部４３ａの一端（−Ｘ側の端部）が回転軸５に固設され、アーム本体部４３ａの他端（＋Ｘ側の端部）の上面（＋Ｚ側の面）に上部サスペンション部４３ｂの一端の下面（−Ｚ側の面）が連結され、アーム本体部４３ａの他端（＋Ｘ側の端部）の下面（−Ｚ側の面）に下部サスペンション部４３ｃの一端の上面（＋Ｚ側の面）が連結されている。
【００４５】
ここで、第４スライダ部３４および第４光学素子部２４は、上部サスペンション部４３ｂのうちのアーム本体部４３ａに対して連結されている一端とは逆の他端近傍の上面に対して取り付けられている。詳細には、第４スライダ部３４は、所定のバネ部材を介して上部サスペンション部４３ｂに対して取り付けられ、第４光学素子部２４は、樹脂製の接着剤などによって上部サスペンション部４３ｂに対して取り付けられている。そして、アーム本体部４３ａの回転軸５に固設されている一端（−Ｘ側の端部）近傍の上面（＋Ｚ側の面）に第４光源部Ｐ４が配置され、該第４光源部Ｐ４から射出される光が第４光学素子部２４を介して第４スライダ部３４に供給される。換言すれば、第４光源部Ｐ４と第４スライダ部３４との間に第４光学素子部２４が配置され、第４光源部Ｐ４から第４スライダ部３４に至るレーザー光の光路上に第４光学素子部２４が配置されている。
【００４６】
更に、第５スライダ部３５および第５光学素子部２５は、下部サスペンション部４３ｃのうちのアーム本体部４３ａに対して連結されている一端とは逆の他端近傍の下面に対して取り付けられている。詳細には、第５スライダ部３５は、所定のバネ部材を介して下部サスペンション部４３ｃに対して取り付けられ、第５光学素子部２５は、樹脂製の接着剤などによって下部サスペンション部４３ｃに対して取り付けられている。そして、アーム本体部４３ａの回転軸５に固設されている一端（−Ｘ側の端部）近傍の下面（−Ｚ側の面）に第５光源部Ｐ５が配置され、該第５光源部Ｐ５から射出される光が第５光学素子部２５を介して第５スライダ部３５に供給される。換言すれば、第５光源部Ｐ５と第５スライダ部３５との間に第５光学素子部２５が配置され、第５光源部Ｐ５から第５スライダ部３５に至るレーザー光の光路上に第５光学素子部２５が配置されている。
【００４７】
＜光源部の特性＞
第１〜５光源部Ｐ１〜Ｐ５は、第１〜５光学素子部２１〜２５をそれぞれ介して第１〜５スライダ部３１〜３５に対して照射する光を発生させるものであり、例えば、一般的なＣＤプレイヤーやＤＶＤレコーダーなどに使用される安価なファブリ・ペロー型のレーザーダイオードによって構成される。
【００４８】
図６および図７は、第１〜５光源部Ｐ１〜Ｐ５の特性を例示する図である。図６では、一般的なＣＤプレイヤー、ＤＶＤレコーダー、ブルーレイディスク（ＢＤ）レコーダーにそれぞれ用いられるレーザー光源の特性が示されている。具体的には、図６では、各レーザー光源について、室温（２５℃）におけるレーザー光の波長、レーザー光源の温度変動に対する該波長の変化の度合い（波長変化度）、該波長の所定温度範囲（０〜６０℃）における変化量（波長変化量）、および該波長の所定温度範囲（−４０〜７０℃）における変化量（波長変化量）がそれぞれ示されている。また、図７では、一般的なＣＤプレイヤーで用いられるレーザー光源から射出されるレーザー光に係る波長の温度依存性を例示する図である。
【００４９】
各レーザー光源は、レーザー光の射出を継続的または断続的に行うと、発熱して、該レーザー光源の温度が上昇するため、該レーザー光源から射出されるレーザー光の波長が変動する。この波長の変動量は、図６および図７で示すように、例えば、通常の使用環境（温度範囲が０〜６０℃）であっても、±７ｎｍ程度とある程度大きなものとなる。この波長の変動により、回折格子部６８に対するレーザー光の適正入射角度が変動することになる。そこで、本実施形態に係る情報記録装置１００では、適正入射角度の変動を補償するために第１〜５光学素子部２１〜２５が設けられている。
【００５０】
以下では、回折格子部６８の特性、第１〜５光学素子部２１〜２５の構成、および第１〜５光学素子部２１〜２５による適正入射角度の変動に係る補償について順次説明する。
【００５１】
＜回折格子部の特性＞
図８は、回折格子部６８が設けられた導波路６０の素子（導波路グレーティング素子）の構成を例示する断面模式図である。
【００５２】
導波路６０は、下部クラッド層６０３、コア層６０２、および上部クラッド層６０１がこの順番に積層されて形成されている。そして、上部クラッド層６０１と下部クラッド層６０３とに挟まれたコア層６０２に光結合用の回折格子部６８が設けられている。コア層６０２は、各クラッド層６０１，６０３よりも屈折率が高い素材で形成され、回折格子部６８に照射される光は、回折格子部６８で結合され、コア層６０２を伝搬して下方（図８では、−Ｚ方向）へ進む。
【００５３】
図９は、導波路６０に係る波長分散の特性（波長分散特性）を説明するための図である。ここでは、コア層６０２の下方（−Ｚ方向）から上方（＋Ｚ方向）に向けて光を伝搬させた際に、回折格子部６８から射出される光の特性を挙げて説明する。この説明では、分かり易さのために、光アシスト部５１が実際に使用される場合とは逆方向に光を進行させたものとしている。
【００５４】
ここで、コア層６０２における導波モードの伝搬定数をβ0、導波路６０の外部に放射される光束がＸＹ平面に対して成す角度（基板外への放射角度）をθ0、コア層６０２から上部クラッド層６０１に放射される光束がＸＹ平面に対して成す角度（クラッド層中の放射角度）をθc、導波路６０の外部における屈折率をｎ0（空気中ではｎ0＝１）、上部クラッド層６０１における屈折率をｎc、コア層６０２における屈折率をｎf、コア層６０２における導波モードの実効屈折率（等価屈折率、有効屈折率とも言う）をＮ、回折格子部６８の凹凸の周期をΛ、導波路６０の外部に放射される光の波長をλ、回折の次数をｑ（ここでは、−１のみ）とすると、下式(１)が成立する。
【００５５】
βq＝ｎ0×sinθ0＝ｎc×sinθc＝Ｎ＋ｑ×λ／Λ  ・・・(１)。
【００５６】
ここで、導波路６０の外部を構成する空気の屈折率ｎ0が１．０、上部クラッド層６０１の素材であるＳｉＯ2の屈折率ｎcが１．４７、コア層６０２の素材であるＴａ2Ｏ5の屈折率ｎfが２．１、実効屈折率Ｎが１．７２、周期Λが０．８４６２μｍ、波長λが７８５ｎｍであれば、上式(１)より基板外への放射角度θ0が５２．４°となる。したがって、この放射角度θ0でもって回折格子部６８に波長λの光線が入射すれば、光の利用効率が最も高くなることになり、回折格子部６８に対する波長λの光線の適正入射角度は５２．４°となる。なお、適正入射角度は、ＸＹ平面に対して入射光が成す角度の適正値（入射効率が最大となる入射角度）を示す。そして、図６および図７で示すように、波長λが約±７ｎｍ変動する場合には、適正入射角度が約±０．７８°も変動することになる。
【００５７】
上述したように、コア層６０２における導波モードの実効屈折率Ｎ、および回折格子部６８の周期Λなどから、導波路６０の外部から該導波路６０への適正入射角度を決定することができる。この適正入射角度は、導波路６０へ入射する光（入射光）の波長λにも依存し、波長がλ1の際には適正入射角度がθ11となり、波長がλ2の際には適正入射角度がθ12となる。
【００５８】
ここで、波長λ1と波長λ2とが下式(２)の関係を有する場合、図１０で示すように、適正入射角度θ11と適正入射角度がθ12とが下式(３)の関係を有する。
【００５９】
λ1＞λ2  ・・・(２)
θ11＜θ12  ・・・(３)。
【００６０】
なお、回折格子部６８の周期Λについては、光の結合効率を考慮すると、２次光および３次光が発生する程度の周期とすることが好ましく、例えば、波長λの０．５〜５倍程度に設定することが好ましい。但し、このような条件下では、導波路６０に対する入射光の入射角度が、適正入射角度から±０．１°以内となることが好ましい。
【００６１】
図１１は、導波路６０に照射される光量（照射光量）に対する導波路６０に入射する光量（入射光量）の割合にあたる入射効率と、導波路６０への入射光の入射角度との関係を例示する図である。図１１では、上述したように適正入射角度が５２．４°である場合について示されており、横軸が入射角度を示し、縦軸が入射効率の最大値を１とした場合の入射効率（相対効率）を示す。
【００６２】
図１１で示すように、相対効率を例えば０．９以上に維持しようとすれば、導波路６０に対する入射光の入射角度が、適正入射角度である５２．４°を中心として±０．１°以内に設定される必要性がある。
【００６３】
これに対して、入射光を射出する第１〜５光源部Ｐ１〜Ｐ５をファブリ・ペロー型のレーザーダイオードとした場合には、上述したように、第１〜５光源部Ｐ１〜Ｐ５の温度が上昇すると、第１〜５光源部Ｐ１〜Ｐ５から射出されるレーザー光の波長λが大きくなる。そして、例えば、レーザー光の波長λが大きくなると、回折格子部６８における光の回折の角度が大きくなるため、上式(２)，(３)で示すように、レーザー光の適正入射角度が小さくなる。例えば、第１〜５光源部Ｐ１〜Ｐ５の使用温度の範囲が０〜６０℃である場合には、レーザー光の波長λの変動量が±７ｎｍ程度となり、レーザー光の適正入射角度が±０．７８°程度変化する。この適正入射角度の変化量は、図１１で示す相対効率を考慮した場合に許容される入射角度の誤差（以下「許容誤差」と称する、ここでは±０．１°以内）を大きく上回る。そして、単にレーザー光の入射角度が許容誤差を上回ると、レーザー光の光束と回折格子部６８との位置および角度関係に変動が生じていなくても、入射効率の低下を招く。
【００６４】
しかしながら、本実施形態に係る情報記録装置１００では、第１〜５光源部Ｐ１〜Ｐ５と導波路６０との位置関係を維持しつつ、第１〜５光学素子部２１〜２５により、レーザー光の波長λの変動に応じて、回折格子部６８へのレーザー光の入射角度が適正入射角度となるように調整する。
【００６５】
＜光学素子部の構成および入射角度の調整＞
第１〜５光学素子部２１〜２５は、それぞれ同様な構成を有するため、ここでは、第１光学素子部２１を例にとって説明する。
【００６６】
図１２は、第１光学素子部２１の構成例を示す模式図である。図１２(ａ)は、第１光学素子部２１の構成例を模式的に示す斜視図であり、図１２(ｂ)は、第１光学素子部２１をＸＺ平面で切断した断面模式図であり、図１２(ｃ)は、第１光学素子部２１の反射型回折格子部２１２の形状を説明するための図である。なお、反射型回折格子部２１２の実際の形状は、微細なものであるため、図１２では、反射型回折格子部２１２の形状を明確化するために、便宜的に該反射型回折格子部２１２の凹凸を強調して示している。
【００６７】
図１２(ａ)で示すように、第１光学素子部２１は、ＸＺ断面が略一定の略直角三角形でＹ軸に沿って延設される略三角柱の形状を有するプリズム部２１１と、＋Ｚ側の面が＋Ｘ方向に沿って鋸歯状の凹凸を有する反射型回折格子部２１２とが一体的に形成された光学素子（反射回折格子プリズム）である。そして、第１光学素子部２１は、後述する反射膜２１２Ｍを除く全体が樹脂によって形成される。ここでは、例えば、側面の直角を挟む２辺の長さＨ21，Ｗ21がそれぞれ２４０μｍ，２２２μｍに設定され、Ｙ軸に沿って延設される長さＤ21が１ｍｍに設定される。
【００６８】
また、図１２(ｂ)で示すように、プリズム部２１１は、第１光源部Ｐ１から射出されるレーザー光が入射する−Ｘ側の入射面２１１ａと、＋Ｘ方向に進行するレーザー光を反射することで約９０°偏向してレーザー光の進行方向を＋Ｚ方向とする内部反射面２１１ｂとを有する。また、反射型回折格子部２１２は、いわゆるブレーズ形状を有し、且つＸＺ断面の形状が、＋Ｘ方向に進むにつれて＋Ｚ方向に線形的に上昇する平面（斜面）と、ＹＺ平面に略平行な平面（垂直面）とが繰り返し配置される鋸歯状となっており、各斜面には、反射膜２１２Ｍが形成されている。したがって、反射型回折格子部２１２の上面に形成された複数の斜面が反射面となり、＋Ｚ方向に進行するレーザー光が複数の斜面において反射されて、光の回折現象が生じる。
【００６９】
なお、各反射膜２１２Ｍは、例えば、アルミニウム(Ａｌ)や銀(Ａｇ)などの金属反射膜、または誘電体多層膜などによって形成される。そして、反射型回折格子部２１２において斜面および垂直面によって形成される１つの凸部の断面は、図１２(ｃ)で示すように、底辺の長さがＷa（ここでは、０．６９μｍ）、高さがＨa（ここでは、０．３４８μｍ）の略直角三角形を形成している。また、以下では、鋸歯状の１つの凸部に係る底辺の長さＷaと高さＨaとの比、具体的には、高さＨaを底辺の長さＷaで割った値を、アスペクト比（ここでは、０．５０４）と称する。
【００７０】
図１３は、第１光学素子部２１による入射角度の調整について説明するための図である。図１３(ａ)は、レーザー光の波長λの変動に応じた第１光学素子部２１からのレーザー光の射出角度の変動を例示する模式図である。図１３(ａ)では、所定の基準温度（例えば、２５℃の室温）の第１光源部Ｐ１から射出されるレーザー光の反射型回折格子部２１２からの射出経路が一点鎖線Ｌ１ａで示され、低温（例えば、０℃）の第１光源部Ｐ１から射出されるレーザー光の反射型回折格子部２１２からの射出経路が破線Ｌ１ｂで示されている。図１３(ｂ)は、第１光学素子部２１の内部におけるレーザー光の反射態様の設定値を例示する図である。
【００７１】
図１３(ｂ)で示すように、例えば、所定の基準温度の第１光源部Ｐ１から射出される光束Ｌ１と、内部反射面２１１ｂの垂線とが成す角度が、４２．７７５°、内部反射面２１１ｂから第１光学素子部２１の上面に入射する光束と、第１光学素子部２１の上面から射出される光束とが成す角度（回折角度）α31が、４１．０３°に設定されている。
【００７２】
ここで、第１光源部Ｐ１の温度の変動にともなってレーザー光の波長λ1と波長λ2とが上式(２)の関係を有する場合、図１３(ａ)で示すように、波長λ1の際の回折角度α31と波長λ2の際の回折角度α32とが下式(４)の関係を有する。
【００７３】
α31＞α32  ・・・(４)。
【００７４】
そして、導波路６０の回折格子部６８への入射角度θについては、図１３(ａ)で示すように、波長λ1のレーザー光とＸＹ平面とが成す角度（入射角度）θ31と波長λ2のレーザー光とＸＹ平面とが成す角度（入射角度）θ32とが下式(５)の関係を有する。
【００７５】
θ31＜θ32  ・・・(５)。
【００７６】
この式(５)で示す第１光源部Ｐ１の温度変動（すなわち波長λの変動）による入射角度θの変動は、上式(３)で示した第１光源部Ｐ１の温度変動（すなわち波長λの変動）による適正入射角度の変動に対応している。このため、反射型回折格子部２１２の形状（例えば、断面の底辺の長さＷaおよび高さＨa、すなわちアスペクト比）を適宜調整することで、第１光源部Ｐ１の温度変動に起因したレーザー光の波長λの変動による適正入射角度の変動を、第１光学素子部２１による回折現象によって打ち消す（すなわち相殺する）ことができる。
【００７７】
以上のように、本発明の実施形態に係る情報記録装置１００では、第１〜５光源部Ｐ１〜Ｐ５から射出されるレーザー光の波長λの変化に伴って、回折格子部６８に対する適正なレーザー光の入射角度の範囲が変化するが、該レーザー光の光路上に設けられた第１〜５光学素子部２１〜２５によって回折格子部６８に対する入射角度が調整される。このため、光の利用効率を上昇させることができ、消費電力の低減を図ることもできる。
【００７８】
また、情報記録装置１００では、装置の薄型化を図るために、レーザー光が第１〜５スライダ部３１〜３５に対して側方から照射され、各サスペンション部４１ｂ，４２ｂ，４２ｃ，４３ｂ，４３ｃと各記録用ディスク２ａ，２ｂ，２ｃとの隙間は、０．５ｍｍ以下と非常に狭く設定されることが一般的である。これに対して、回折格子部６８に対する適正入射角度は、一般に斜め方向となる。このため、回折格子部６８への入射光を斜め方向に偏向させ、且つ適正入射角度の変動に係る補償を行う薄い光学系があれば好ましい。この要求を満たすために、本実施形態に係る第１〜５光学素子部２１〜２５は、素子中における反射を利用することで薄型で且つ適正入射角度の変動に係る補償を行う素子として設けられている。
【００７９】
また、第１〜５光学素子部２１〜２５のように、上面に反射型回折格子部２１２が設けられることで、上面の表面積が増大するため、各サスペンション部４１ｂ，４２ｂ，４２ｃ，４３ｂ，４３ｃに対して第１〜５光学素子部２１〜２５を接着した場合の接着力が向上する。このため、第１〜５光学素子部２１〜２５の固定による安定性が高まる。
【００８０】
＜変形例＞
本発明は上述の実施の形態に限定されるものではなく、本発明の要旨を逸脱しない範囲において種々の変更、改良等が可能である。
【００８１】
例えば、上記実施形態では、第１〜５光学素子部２１〜２５が、反射型回折格子部２１２を有する反射回折格子プリズムによって構成されたが、これに限られない。例えば、第１〜５光学素子部２１〜２５が、レーザー光の射出面が透過型の回折格子（透過型回折格子）となっているプリズム（透過回折格子プリズム）によって構成されても良い。すなわち、回折格子部６８における波長分散特性を打ち消す波長分散特性を有する光学素子を採用すれば良い。以下、情報記録装置１００Ａのアーム機構１０Ａを構成し、且つ透過回折格子プリズムがそれぞれ適用された第１〜５光学素子部２１Ａ〜２５Ａの具体例を挙げて説明する。
【００８２】
図１４は、変形例に係る第１光学素子部２１Ａの構成例を示す模式図である。具体的には、図１４では、第１光学素子部２１ＡをＸＺ平面で切断した断面模式図が示されている。なお、透過型回折格子部２１５の実際の形状は、微細なものであるため、図１４では、透過型回折格子部２１５の形状を明確化するために、便宜的に該透過型回折格子部２１５の凹凸を強調して示している。
【００８３】
第１光学素子部２１Ａは、ＸＺ断面が略一定の略台形でＹ軸に沿って延設される略四角柱の形状を有するプリズム部２１３と、底面（−Ｚ側の面）が＋Ｘ方向に沿って鋸歯状の凹凸を有する透過型回折格子部２１５とが一体的に形成された光学素子である。
【００８４】
また、図１４で示すように、プリズム部２１３は、第１光源部Ｐ１から射出されるレーザー光が入射する−Ｘ側の入射面２１３ａと、ＸＹ平面に対して略平行な上面２１３Ｕと、＋Ｘ方向に進行するレーザー光を被覆された反射膜（例えば、ＡｌやＡｇなどで形成）によって反射することで約６０°偏向してレーザー光の進行方向を斜め下（図１４では左下）方向とする傾斜反射面２１３Ｍとを有する。また、透過型回折格子部２１５は、いわゆるブレーズ形状を有し、ＸＺ断面の形状が＋Ｘ方向に進むにつれて−Ｚ方向に線形的に下降する平面（斜面）とＹＺ平面に略平行な平面（垂直面）とが繰り返し配置される鋸歯状となっており、且つレーザー光を透過することで射出する下面（射出面）２１５Ｇを有する。そして、該射出面２１５Ｇが、レーザー光の回折現象を生じさせる。
【００８５】
ここで、導波路６０の回折格子部６８への入射角度θについては、第１光源部Ｐ１の温度の変動にともなってレーザー光の波長λ1と波長λ2とが上式(２)の関係を有する場合、図１４で示すように、波長λ1のレーザー光とＸＹ平面とが成す角度（入射角度）θ41と波長λ2のレーザー光とＸＹ平面とが成す角度（入射角度）θ42とが下式(６)の関係を有する。
【００８６】
θ41＜θ42  ・・・(６)。
【００８７】
この式(６)で示す第１光源部Ｐ１の温度変動（すなわち波長λの変動）による入射角度θの変動は、上式(３)で示した第１光源部Ｐ１の温度変動（すなわち波長λの変動）による適正入射角度の変動に対応している。このため、透過型回折格子部２１５のブレーズ形状を適宜調整することで、第１光源部Ｐ１の温度変動に起因したレーザー光の波長λの変動による適正入射角度の変動を、第１光学素子部２１Ａによる回折現象によって打ち消す（すなわち相殺する）ことができる。
【００８８】
このように、第１光学素子部２１Ａを採用しても、上記実施形態と同様な効果を得ることができるが、鋸歯状の１つの凸部に係る底面の長さと高さとの比（アスペクト比）を小さくして製造を容易とする観点から言えば、透過回折格子プリズムよりも、反射回折格子プリズムの方が好ましい。その一方で、光学素子部の回折格子部と、導波路６０の回折格子部６８との距離が極力短い方が、回折格子部６８に対してレーザー光が照射される位置が、レーザー光の波長λの変動によってずれ難い。このため、この観点から言えば、透過型回折格子部２１５を採用した第１光学素子部２１Ａの方が好ましい位置設定が容易である。更に、反射膜を形成する材料（反射材料）の被覆については、平坦な面に反射材料を被覆して形成する第１光学素子部２１Ａの方が、製造が容易な点で好ましい。
【００８９】
また、上記実施形態および上記具体例では、反射膜によってレーザー光を反射したが、反射膜を使用することなく、プリズムを形成する素材の屈折率を適宜調整し、全反射を利用することで、レーザー光を反射するようにしても良い。
【００９０】
また、上記実施形態では、反射型回折格子部２１２を含む第１〜５光学素子部２１〜２５が採用され、上記具体例では、透過型回折格子部２１５を含む第１〜５光学素子部が採用されたが、これに限られない。例えば、回折格子部を設けることなく、空気中の屈折率と比べて屈折率が非常に高い素材を使用したプリズムなど、波長分散特性を有する各種光学素子を採用することも考えられる。
【００９１】
また、上記実施形態および上記具体例では、情報記録装置１００，１００Ａが、記録媒体に対して光で熱を付与しつつ、磁気で情報を記録および読み出す光アシスト式磁気記録装置として構成されたが、これに限られない。例えば、本発明を、磁気を用いることなく記録媒体に対する光の照射によって情報の記録および読み出しを行う情報記録装置など、光の照射を利用して情報の記録および読み出しを行う情報記録装置一般に適用しても良い。換言すれば、本発明を、光ヘッドが記録媒体に対して光を照射することで該記録媒体に対して情報の記録を行うことができる情報記録装置一般に適用しても良い。
【００９２】
また、上記実施形態に係る第１〜５光学素子部２１〜２５では、内部でレーザー光を２回反射させ、上記具体例に係る第１光学素子部２１Ａ〜２５Ａでは、内部でレーザー光を１回反射させたが、これに限られない。
【００９３】
但し、レーザー光を１回も反射させずに、回折格子部６８の前面で単に回折格子によって回折現象を用いてレーザー光の進行方向を偏向させても、光源部の温度変動に起因したレーザー光の波長λの変動による適正入射角度の変動を前面の回折格子による回折現象によって打ち消す（すなわち相殺する）方向には、レーザー光の進行方向が偏向されない。したがって、回折格子部６８に入射する前にレーザー光を１回以上反射させる必要があり、第１〜５光学素子部２１〜２５，２１Ａ〜２５Ａに１以上の反射面を設ける必要がある。そして、第１〜５光学素子部２１〜２５，２１Ａ〜２５Ａに含まれる回折格子部の鋸歯状の傾斜面の方向によって、レーザー光を反射すべき回数（奇数回または偶数回）が決まり、回折格子部６８に対する適正な入射角度の範囲の変化に追従して、第１〜５光学素子部２１〜２５，２１Ａ〜２５Ａによって光路を調整することが可能となる。
【００９４】
また、上記実施形態では、第１〜５光源部Ｐ１〜Ｐ５が半導体レーザーチップによって形成されたが、これに限られず、例えば、発光ダイオード（ＬＥＤ）などの各種発光素子によって形成されても良い。
【００９５】
なお、第１〜５光源部Ｐ１〜Ｐ５の位置および角度を適宜調整することで回折格子部６８への入射角度を調整することも考えられるが、第１〜５光源部Ｐ１〜Ｐ５の位置および角度を変動させることは、情報記録装置１００の動作の不安定化、および可動部における消費電力の増加などといった不利益を招くため、第１〜５光学素子部２１〜２５，２１Ａ〜２５Ａによる入射角度の調整の方が好ましい。
【００９６】
また、上記実施形態では、第１光学素子部２１の反射膜２１２Ｍを除く全体が樹脂によって形成されたが、これに限られず、例えば、ガラスによって形成されても良い。
【００９７】
また、上記実施形態では、第１光学素子部２１を構成するプリズム部２１１と反射型回折格子部２１２とが樹脂を用いて形成されたが、これに限られない。例えば、ガラスによって形成されたプリズム部２１１に対して、樹脂を用いて反射型回折格子部２１２が形成されても良い。
【符号の説明】
【００９８】
２ａ〜２ｃ  第１〜３記録用ディスク
１０，１０Ａ  アーム機構
２１〜２５，２１Ａ〜２５Ａ  第１〜５光学素子部
３１〜３５，３１Ａ〜３５Ａ  第１〜５スライダ部
４１〜４３  第１〜３アーム部
５１  光アシスト部
６０  導波路
６８  回折格子部
１００，１００Ａ  情報記録装置
２１１，２１３  プリズム部
２１１ａ，２１３ａ  入射面
２１２  反射型回折格子部
２１２Ｍ  反射膜
２１３Ｍ  傾斜反射面
２１５  透過型回折格子部
２１１ｂ，２１５Ｇ  射出面
Ｐ１〜Ｐ５  第１〜５光源部
【図１】
2009139258.tif 000003
【図２】
2009139258.tif 000004
【図３】
2009139258.tif 000005
【図４】
2009139258.tif 000006
【図５】
2009139258.tif 000007
【図６】
2009139258.tif 000008
【図７】
2009139258.tif 000009
【図８】
2009139258.tif 000010
【図９】
2009139258.tif 000011
【図１０】
2009139258.tif 000012
【図１１】
2009139258.tif 000013
【図１２】
2009139258.tif 000014
【図１３】
2009139258.tif 000015
【図１４】
2009139258.tif 000016
【手続補正書】
【提出日】平成22年11月12日(2010.11.12)
【手続補正２】
【補正対象書類名】明細書
【補正対象項目名】０００７
【補正方法】変更
【補正の内容】
【０００７】
上記課題を解決するために、第１の態様に係る光学素子は、外縁部において、光源からの光が入射する入射面と、回折格子面と、前記入射面から入射した光を前記回折格子面に導く内部反射面とを備える。
【手続補正３】
【補正対象書類名】明細書
【補正対象項目名】０００８
【補正方法】変更
【補正の内容】
【０００８】
第２の態様に係る光学素子は、第１の態様に係る光学素子であって、光が出射する光出射面を更に備え、前記回折格子面が、反射型の回折格子面である。
【手続補正４】
【補正対象書類名】明細書
【補正対象項目名】０００９
【補正方法】変更
【補正の内容】
【０００９】
第３の態様に係る光学素子は、第２の態様に係る光学素子であって、前記回折格子面が、金属反射膜または誘電体多層膜を有する。
【手続補正５】
【補正対象書類名】明細書
【補正対象項目名】００１０
【補正方法】変更
【補正の内容】
【００１０】
第４の態様に係る光学素子は、第１の態様に係る光学素子であって、前記回折格子面が、透過型の回折格子面である。
【手続補正６】
【補正対象書類名】明細書
【補正対象項目名】００１１
【補正方法】変更
【補正の内容】
【００１１】
第５の態様に係る光学素子は、外縁部において、光源からの光が入射する入射面と、回折格子面と、前記回折格子面からの光を出射する光出射面とを備えるプリズム状の光学素子である。
【手続補正７】
【補正対象書類名】明細書
【補正対象項目名】００１２
【補正方法】変更
【補正の内容】
【００１２】
第６の態様に係る光学素子は、第５の態様に係る光学素子であって、前記回折格子面が、反射型の回折格子面である。
【手続補正８】
【補正対象書類名】明細書
【補正対象項目名】００１３
【補正方法】変更
【補正の内容】
【００１３】
第７の態様に係る光学素子は、第６の態様に係る光学素子であって、前記回折格子面が、金属反射膜または誘電体多層膜を有する。
【手続補正９】
【補正対象書類名】明細書
【補正対象項目名】００１４
【補正方法】変更
【補正の内容】
【００１４】
第８の態様に係る光アシスト式の磁気記録ヘッドは、光源と、導波路と該導波路に入射光を結合するためのグレーティングカプラとを有し且つ前記導波路から出射する光を記録媒体に照射するスライダ部と、前記光源からの光を前記グレーティングカプラへ導く光学素子と、を備え、前記光学素子から前記グレーティングカプラへ入射される入射光は、前記光学素子が有する回折格子部で回折されたものであり、前記光源から前記光学素子に入射する光は、前記光学素子が有する内部反射面で反射されて前記回折格子部に照射される。
第９の態様に係る光アシスト式の磁気記録ヘッドは、第８の態様に係る光アシスト式の磁気記録ヘッドであって、前記回折格子部が、反射型の回折格子部である。
第１０の態様に係る光アシスト式の磁気記録ヘッドは、第９の態様に係る光アシスト式の磁気記録ヘッドであって、前記回折格子部が、金属反射膜または誘電体多層膜を有する。
第１１の態様に係る光アシスト式の磁気記録ヘッドは、第８の態様に係る光アシスト式の磁気記録ヘッドであって、前記回折格子部が、透過型の回折格子部である。
【手続補正１０】
【補正対象書類名】明細書
【補正対象項目名】００１５
【補正方法】変更
【補正の内容】
【００１５】
第１から第７の何れの態様に係る光学素子、および第８から第１１の何れの態様に係る光アシスト式の磁気記録ヘッドによっても、光の利用効率を上昇させることができる。
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
第８の態様に係る光アシスト式の磁気記録ヘッドによれば、情報の記録における電力消費の低減を図ることができる。
【手続補正１３】
【補正対象書類名】特許請求の範囲
【補正対象項目名】全文
【補正方法】変更
【補正の内容】
【特許請求の範囲】
【請求項１】
外縁部において、光源からの光が入射する入射面と、回折格子面と、前記入射面から入射した光を前記回折格子面に導く内部反射面と、を備える光学素子。
【請求項２】
光が出射する出射面、を更に備え、
前記回折格子面が、反射型の回折格子面である請求項１に記載の光学素子。
【請求項３】
前記回折格子面が、金属反射膜または誘電体多層膜を有する請求項２に記載の光学素子。
【請求項４】
前記回折格子面が、透過型の回折格子面である請求項１に記載の光学素子。
【請求項５】
外縁部において、光源からの光が入射する入射面と、回折格子面と、前記回折格子面からの光を出射する光出射面と、を備えるプリズム状の光学素子。
【請求項６】
前記回折格子面が、反射型の回折格子面である請求項５に記載の光学素子。
【請求項７】
前記回折格子面が、金属反射膜または誘電体多層膜を有する請求項６に記載の光学素子。
【請求項８】
光源と、
導波路と該導波路に入射光を結合するためのグレーティングカプラとを有し且つ前記導波路から出射する光を記録媒体に照射するスライダ部と、
前記光源からの光を前記グレーティングカプラへ導く光学素子と、
を備え、
前記光学素子から前記グレーティングカプラへ入射される入射光は、前記光学素子が有する回折格子部で回折されたものであり、
前記光源から前記光学素子に入射する光は、前記光学素子が有する内部反射面で反射されて前記回折格子部に照射される光アシスト式の磁気記録ヘッド。
【請求項９】
前記回折格子部が、反射型の回折格子部である請求項８に記載の光アシスト式の磁気記録ヘッド。
【請求項１０】
前記回折格子部が、金属反射膜または誘電体多層膜を有する請求項９に記載の光アシスト式の磁気記録ヘッド。
【請求項１１】
前記回折格子部が、透過型の回折格子部である請求項８に記載の光アシスト式の磁気記録ヘッド。
【国際調査報告】
2009139258.tif 000017
2009139258.tif 000018
2009139258.tif 000019
2009139258.tif 000020